(57)【要約】【課題】前面部分のデザイン変更を低コストで実現でき、遊技球検出特性の異なる２種の入賞装置を低コストで得られる弾球遊技機の入賞装置を提供する。【解決手段】入賞装置を、遊技球を盤面表側から裏側に送る遊技球誘導通路部材２１と、同部材２１の前面側を飾る装飾部材２２と、同部材２１を盤面に取り付けるためのベース部材２３に分割して構成する。遊技球誘導通路部材２１を、前後一対の装飾部材配置面５１と、前後・上下互い違いに位置する一対の遊技球出入開口５２と、両遊技球出入開口相互をつなぐ遊技球誘導通路５３と、遊技球出入開口５２に隣接する遊技球センサ取付部５５とを備えて構成し、遊技球誘導通路部材２１に汎用性をもたせ、前後逆向き使用を可能とする。装飾、ベース両部材２２，２３を遊技球誘導通路部材５３に着脱自在とし、デザイン変更時にはこれらの変更のみで対処可能とする。【選択図】        図３
2005006747.tif 000002
【特許請求の範囲】
【請求項１】
遊技盤の盤面の表側から入球した遊技球を裏側に送る遊技球誘導通路部材と、この遊技球誘導通路部材の前面側を飾る装飾部材と、前記遊技球誘導通路部材を前記盤面に取り付けるためのベース部材とに分割構成され、
前記遊技球誘導通路部材は、前記盤面の表裏方向に対応する前後方向の両端部に形成された一対の装飾部材配置面と、前記前後方向の一端側の上面と他端側の下面に形成された一対の遊技球出入開口と、この一対の遊技球出入開口相互を連通させる遊技球誘導通路と、前記遊技球出入開口に隣接して形成された遊技球センサ取付部とを備えて構成され、
前記装飾部材は、前記装飾部材配置面に着脱自在に構成され、
前記ベース部材は、前記遊技球誘導通路部材に着脱自在に、かつその遊技球誘導通路部材に装着された際に遊技球誘導通路部材外周を囲むように位置する鍔状部を有して構成されたことを特徴とする弾球遊技機の入賞装置。
【発明の詳細な説明】
【０００１】
【発明の属する技術分野】
本発明は、遊技盤の盤面に設けられる弾球遊技機の入賞装置に関するものである。
【０００２】
【従来の技術】
弾球遊技機、例えばパチンコ機の遊技盤の盤面には複数の入賞装置が設けられている。この入賞装置は、遊技球が入球（入賞）することよって賞球の払出しが行われるという共通の機能を有する。そしてこの入賞装置は、上記盤面の表側から入球した遊技球を裏側に送る遊技球誘導通路部と、この遊技球誘導通路部の前面側を飾る装飾部と、同遊技球誘導通路部を上記盤面に取り付けるためのベース部とを備えて構成されるものが多い。
【０００３】
ところで、このような入賞装置は、パチンコ機の盤面デザインの変更に伴い、装飾部やベース部等、前面に露出する部分のデザインが変更されることが多い。このため、デザイン変更の度に新たな入賞装置を作製しなければならず、コストが上昇する原因になっている。
【０００４】
そこで従来から、このような入賞装置に汎用性をもたせて製造コストを低減することが提案されている（特許文献１参照）。
これは、遊技盤に前側から装着される前部構造体と、この前部構造体の裏側に着脱自在に装着された後部構造体とを備え、前部構造体に大入賞口を設け、後部構造体に、第１入賞通路及び第２入賞通路と、大入賞口に入賞した遊技球を第１，第２入賞通路側に案内する誘導通路とを設け、この誘導通路の前端側に開閉板を設けるというものである。
【０００５】
【特許文献１】
特開平１１−１５６０１２号公報
【０００６】
【発明が解決しようとする課題】
上記従来の入賞装置は、後部構造体を共用化できる利点があるが、これは大入賞口に係るものであって、一般的な入賞装置に係るものではない。これを一般的な入賞装置に適用可能とするためには、後部構造体に設けられた２つの入賞通路と、この入賞通路側に遊技球を案内する誘導通路の構成を変えなければならない。このため、設計変更が必要となり、また金型等も作り直さなくてはならず、多大な手間と時間を要し、コストが上昇するという問題点があった。
【０００７】
また入賞装置には、入賞した遊技球を検出するセンサが取り付けられるが、このセンサは、遊技球入口側（盤面表側）に取り付ける場合と、出口側（盤面裏側）に取り付ける場合とがある。
入口側に取り付ければ、遊技球を入賞と同時に、つまり早い時点で検出できるが、その分検出漏れが生じやすい。一方、出口側に取り付ければ、遊技球の検出に時遅れが生じるが、遊技球は減速後に検出されることになるので、検出漏れが生じにくいという、遊技球検出の素早さや信頼性（遊技球検出特性）に違いがあるからである。
このような遊技球検出特性に応じた別個の入賞装置を、同一デザインのパチンコ機に取り付ける場合、従来の入賞装置では、装飾部やベース部が同じデザインであっても、別個の入賞装置を作製しなければならず、これによってもコストが上昇することになった。
【０００８】
本発明は、上記のような問題点を解消するためになされたもので、一般的な入賞装置に適用可能であって、低コスト化を充分に図ることのできる弾球遊技機の入賞装置を提供することを目的とする。
【０００９】
【課題を解決するための手段】
上記目的を達成するために、請求項１に記載の発明は、遊技盤の盤面の表側から入球した遊技球を裏側に送る遊技球誘導通路部材と、この遊技球誘導通路部材の前面側を飾る装飾部材と、前記遊技球誘導通路部材を前記盤面に取り付けるためのベース部材とに分割構成され、前記遊技球誘導通路部材は、前記盤面の表裏方向に対応する前後方向の両端部に形成された一対の装飾部材配置面と、前記前後方向の一端側の上面と他端側の下面に形成された一対の遊技球出入開口と、この一対の遊技球出入開口相互を連通させる遊技球誘導通路と、前記遊技球出入開口に隣接して形成された遊技球センサ取付部とを備えて構成され、前記装飾部材は、前記装飾部材配置面に着脱自在に構成され、前記ベース部材は、前記遊技球誘導通路部材に着脱自在に、かつその遊技球誘導通路部材に装着された際に遊技球誘導通路部材外周を囲むように位置する鍔状部を有して構成されたことを特徴とする。
【００１０】
【発明の実施の形態】
以下、本発明の実施の形態を図面に基づき説明する。なお、各図間において、同一符号は同一又は相当部分を示す。
図１は、本発明による入賞装置が設けられた弾球遊技機、ここではパチンコ機の遊技盤の盤面の一例を概略的に示す図である。
図１において、１１はパチンコ機の遊技盤、１２は遊技盤１１の盤面である。この盤面１２には、入賞装置として、大入賞口を備えた１個の大入賞装置１３、始動入賞口を備えた１個の始動入賞装置１４、一般入賞口を備えた複数個、ここでは４個の一般入賞装置１５が設けられているが、本発明の入賞装置は、図示実施形態においては上記４個の一般入賞装置１５に適用されている。
盤面１２には、入賞装置１３〜１５以外にも図柄表示装置１６や、図示しないが風車等、種々の盤面構成部品が設けられ、また多数の遊技釘が打ち込まれている。
入賞装置１３〜１５は、各々に備わる入賞口（図示せず）へ遊技球が入球（入賞）することよって賞球の払出しが行われるという共通の機能をもつもので、遊技上、重要な盤面構成部品である。なお図１中、２２及び２３は詳細を以下に述べる装飾部材及びベース部材である。
【００１１】
図２は、図１中の入賞装置１５を、遊技盤１１部分を破断して示す図（側面図）である。
この図２に示すように、入賞装置１５は、分割された遊技球誘導通路部材（以下、誘導通路部材と略記する。）２１、装飾部材２２及びベース部材２３によって構成されている。ここで、誘導通路部材２１は遊技盤１１の盤面１２の表側（図中左側）から入球した遊技球（図示せず）を裏側（図中右側）に送る部材、装飾部材２２は誘導通路部材２１の前面側を飾る部材、ベース部材２３は誘導通路部材２１を盤面１２に取り付けるための部材であり、上記誘導通路部材２１に、装飾部材２２及びベース部材２３が組み込まれることによって入賞装置１５が構成される。
【００１２】
図３は、誘導通路部材２１に装飾部材２２及びベース部材２３が組み込まれる前の状態を示す側面図（入賞装置１５の前後方向分解図）である。
図中矢印イ、ロに示すように、誘導通路部材２１に対して、その前面側（図中左側）から装飾部材２２が、後面側（図中右側）からベース部材２３が、各々差し込まれることにより、図２に示す入賞装置１５が構成される。
図４は図２中の入賞装置の一部切断平面図で、図２と同一部分に同一符号を付してその説明を省略する。
なお図２〜図４において、誘導通路部材２１、装飾部材２２及びベース部材２３以外の符号が付された各部の詳細については後述する。
【００１３】
以下、誘導通路部材２１の詳細を説明する。
図５は、誘導通路部材２１を取り出して示す図で、（ａ）は側面図、（ｂ）は裏面（後面）図、（ｃ）は底面図である。
図６は、同上誘導通路部材２１の断面図で、（ａ）は図５（ｃ）中のＩ−Ｉ線断面矢視図、（ｂ）は図５（ａ）中のＩＩ−ＩＩ線断面矢視図である。
これら図５及び図６から分かるように、誘導通路部材２１は、外形状がほぼ直方体状に形成され、装飾部材配置面５１、遊技球出入開口５２、遊技球誘導通路５３、ベース部材・装飾部材取付け用凸条又は凹溝、ここでは凸条（レール）５４及び遊技球センサ取付部５５を備えて構成されている。誘導通路部材２１は、図示例では金型を用いた合成樹脂成形により作製されている。
【００１４】
上記装飾部材配置面５１は、盤面１２（図２参照）の表裏方向に対応する前後方向〔図５（ａ），（ｃ）中、左右方向を指す。以下、単に前後方向という。〕の両端部に、ほぼ対称に、この例では各々盤面１２とほぼ平行に向けられて対称に、一対形成されている。
また遊技球出入開口５２は、前後方向の一端側の上面と他端側の下面に、つまり前後、上下に互い違いとなる位置に一対形成されている。
遊技球誘導通路５３は、この一対の遊技球出入開口５２，５２相互を連通させるものであり、合成樹脂により成形されたリブ５３ａ，５３ｂ及び左右側壁５３ｃ，５３ｄを案内枠体として遊技球を誘導可能に形成されている。この遊技球誘導通路５３の前後方向の長さＬ１は、遊技盤１１の厚さ寸法Ｌ２（図２参照）に応じて設定される。すなわち、一方の遊技球出入開口５２から入球した遊技球（図示せず）が遊技球誘導通路５３を通って他方の遊技球出入開口５２に至り、誘導通路部材２１外部に排出される遊技球の流れ（矢印ハ，二，ホ参照）を阻害しない、寸法Ｌ２に対する長さＬ１が設定される。
ベース部材・装飾部材取付け用凸条５４は、左右両側面の上記前後方向、対称位置に直線状に一対形成されている。
【００１５】
遊技球センサ取付部５５は、図示例では一対の遊技球出入開口５２，５２のうちの一方側に隣接して形成され、その遊技球出入開口５２を通過する遊技球を検出する遊技球センサ２４（図２〜図４参照）を取り付けるものである。図２〜図４に示すように、遊技球センサ２４としては、ここでは若干厚みのある外形状長方形の遊技球センサが用いられている。この場合、遊技球センサ取付部５５は、遊技球センサ２４の短辺側の２辺において長辺方向に位置規制する突片５５ａと、長辺側の２辺において短辺方向に位置規制すると共に遊技球センサ填込み取付後は遊技球センサ２４を位置決め係止する係止片５５ｂとで構成されている。
【００１６】
すなわち誘導通路部材２１は、盤面１２表側に位置させる側の遊技球出入開口５２を上向きにし、遊技球の入賞口として機能するように盤面１２に設ければ、前後を逆にしても（上下を逆にすれば前後を逆にしても）誘導通路部材２１として使用（前後逆向き使用）可能に構成されている。
なお、図４中の２４ａは遊技球センサ２４の遊技球通過孔であって、遊技球センサ取付側の遊技球出入開口５２と位置合わせされている。
【００１７】
図７及び図８は、図２及び図３と対照して分かるように、上記誘導通路部材２１が前後逆向き使用可能であることを示している。
すなわち、上掲図２及び図３に示す使用状態においては、遊技球センサ２４（遊技球センサ取付部５５）は遊技球の出口側（盤面１２裏側）に位置することになる。したがって、遊技球の検出に時遅れが生じるが、減速後に遊技球が検出されることになり、検出漏れが生じにくくなる。また、遊技球センサ２４への遊技球の衝突エネルギは小さくなり、遊技球センサ２４の保護に役立つ。
一方、図７及び図８に示す使用状態においては、遊技球センサ２４（遊技球センサ取付部５５）は遊技球の入口側（盤面１２表側）に位置することになる。したがって、遊技球は入賞と同時に、つまり早い時点で検出されることになる。
本発明における入賞装置の誘導通路部材２１は、このように遊技球検出特性に違いをもつ２種類の誘導通路部材を１つの誘導通路部材で実現できる汎用性をもつ。
なお、図９は図７中の入賞装置の一部切断平面図で、図７、図８と同一部分に同一符号を付してその説明を省略する。
【００１８】
次に、上記装飾部材２２の詳細を説明する。
装飾部材２２は、図５に示す誘導通路部材２１の装飾部材配置面５１に着脱自在に構成されているが、本実施形態では更に図１０に示すように構成されている。
図１０は、図２〜図４中の装飾部材２２を取り出して示す図で、（ａ）は正面図、（ｂ）は右側面図、（ｃ）は裏面図である。
この図に示すように、装飾部材２２の裏面には、上記誘導通路部材２１の装飾部材配置面５１に当接する平面部１０１が形成され、この平面部１０１の両側には上記誘導通路部材２１の一対の凸条５４，５４に着脱自在の一対の凹溝１０２，１０２が形成されている。また、装飾部材２２裏面の平面部１０１の左右斜め下方には、上記装飾部材配置面５１への着脱に用いられるビス穴１０３が設けられている。装飾部材２２は、ここではベース部材２３（図２〜図４参照）と一体に取り付けられ、あるいは取り外されて装飾部材配置面５１に着脱される構成を採っているので、ビス穴１０３は上記ベース部材２３の装飾部材２２への取付用のビス穴となっている。
装飾部材２２は、図示例では上部側のレンズ部１０４と下部側の装飾板部１０５とで主構成をなす。この場合、レンズ部１０４裏面側には、装飾部材２２が上記誘導通路部材２１に組み込まれたときに、図４に示す誘導通路部材２１の盤面１２表側に位置する遊技球出入開口５２を塞がないように、開口１０６が形成され、また、装飾板部１０５の表面側には適宜の装飾（図示せず）が施されている。
【００１９】
次に、上記ベース部材２３の詳細を説明する。
図２〜図４から分かるように、ベース部材２３には、誘導通路部材２１の一対の凸条５４，５４に着脱自在の一対の凹溝１１１，１１１が、誘導通路部材２１の左右両側面相互間の寸法とほぼ同寸法の間隔を置いて対向する一対の腕部１１２，１１２の内側に形成されている。またベース部材２３には、凹溝１１１，１１１の上記凸条５４，５４への装着により誘導通路部材２１に取り付けられた際に、その誘導通路部材２１外周を囲むように位置する鍔状部１１３が形成されている。
ベース部材２３は、本実施形態では更に図１１に示すように構成されている。
図１１は、図２〜図４中のベース部材２３を取り出して示す図で、（ａ）は正面図、（ｂ）は右側面図、（ｃ）は裏面図である。
この図に示すように、ベース部材２３の鍔状部１１３の中央には、上記誘導通路部材２１を挿通可能の誘導通路部材挿通窓１１４が形成されている。また、この挿通窓１１４を挟んだ適宜位置には盤面１２（図２，図４参照）への取付用のビス穴１１５が形成され、また、図１０に示す装飾部材２２のビス穴１０３の対応箇所には装飾部材取付用のビス穴１１６が形成されている。なお、ベース部材２３の鍔状部１１３の表面側にも、適宜の装飾や着色が施されている。
【００２０】
以上のように、誘導通路部材２１、装飾部材２２及びベース部材２３に分割構成された入賞装置の組込み構成手順の一例を、図３を参照して以下に述べる。
まず、構成する入賞装置を、遊技球センサ２４が遊技球入口側（盤面１２表側）に位置するタイプとするか、出口側（盤面１２裏側）に位置するタイプとするかを決め、誘導通路部材２１をそれに応じた方向に向ける。ここでは、遊技球の出口側（盤面１２裏側）に位置するタイプを構成することとし、誘導通路部材２１を図３に示す向きとする。
この状態で、誘導通路部材２１の前端側（図中左端側）から同部材２１の凸条５４に装飾部材２２の凹溝１０２を填め合わせ、矢印イに示すようにスライドさせて装飾部材２２を誘導通路部材２１の前端部分に組み込む。
次に、誘導通路部材２１の後端側（図中右端側）から同部材の凸条５４にベース部材２３の腕部１１２の内側に形成された凹溝１１１を填め合わせ、矢印ロに示すようにスライドさせる。ベース部材２３の鍔状部１１３表面が装飾部材２２の後端面に当接するまで、ベース部材２３を誘導通路部材２１の前端部側にスライドさせ、ベース部材２３を誘導通路部材２１に組み込む。
【００２１】
このように、装飾部材２２及びベース部材２３が誘導通路部材２１に組み込まれると、ベース部材２３の鍔状部１１３の裏面側に形成された装飾部材取付用ビス穴１１６（図１１参照）から、図示しないビスを装飾部材２２のビス穴１０３（図１０参照）に螺入し、装飾部材２２及びベース部材２３を誘導通路部材２１に組込み固定する。これにより、装飾部材２２は誘導通路部材２１の装飾部材配置面５１に配置固定されることになる。
以上のように固定され一体化された入賞装置は、そのベース部材２３の、鍔状部１１３よりも後端側部分が、図２、図４に示すように、遊技盤１１に開けられた入賞装置取付孔１１ａに盤面１２の表側から挿入される。そして、ベース部材２３の鍔状部１１３に形成された盤面取付用のビス穴１１５（図１１参照）からビス（図示せず）を遊技盤１１に螺入することにより、盤面１２に取付けられる（図１、図２、図４参照）。
【００２２】
図４において、盤面１２の表側（図中左側）に位置する遊技球出入開口５２に入った遊技球（図示せず）は、誘導通路部材２１の遊技球誘導通路５３を通って盤面１２の裏側（図中右側）に位置する遊技球出入開口５２に誘導される。この盤面１２の裏側に位置する遊技球出入開口５２を通過するとき、遊技球センサ２４は遊技球の入賞を検出するが、遊技球は盤面１２の表側に位置する遊技球出入開口５２への入球時に運動エネルギが消費されているので減速され、時遅れを伴うが確実に検出される。また、遊技球センサ２４への遊技球の衝突エネルギは小さくなり、遊技球センサ２４は長寿命化される。
【００２３】
なお、図９（図７，図８）に示す向きへの取付けも上述と同様の手順で行われるが、この場合には、盤面１２の表側に位置する遊技球出入開口５２に入った遊技球は、同遊技球出入開口５２部分で遊技球センサ２４により検出されるので、時遅れなく瞬時に検出される。
【００２４】
上述入賞装置によれば、主要部をなす誘導通路部材２１（図２〜図９参照）に汎用性をもたせることができる。したがって、多くの入賞装置に適用可能になり、入賞装置の低コスト化が図れる。また、図１に例示するパチンコ機の盤面１２等にデザイン変更があり、入賞装置の装飾部やベース部にデザイン変更が生じた場合に次のような利点がある。すなわち、このような場合には、それまで使用していた装飾部材２２やベース部材２３を誘導通路部材２１から取り外し、新たなデザインが施された装飾部材２２やベース部材２３を誘導通路部材２１に組み込めばデザイン変更が実現でき、入賞装置の低コスト化を図ることができる。金型を用いた合成樹脂成形によって入賞装置を製造する場合において、誘導通路部材２１の金型を新規に作成する必要がないことによるコスト低減の効果は大きい。
しかも、大入賞口等の特殊な入賞装置ではなく、一般的な入賞装置に対して、設計変更や金型等の作り直しをせずに、そのまま適用できるので入賞装置の低コスト化を充分に図ることができる。一般的な入賞装置は、通常、１台のパチンコ機に複数個、上述実施形態では４個設けられるので入賞装置の低コスト化に極めて役立つ。
また、本実施形態の誘導通路部材２１によれば、入賞した遊技球を、遊技球入口側で検出する場合と、出口側で検出する場合のいずれにも使用できるので、入口側と出口側の専用の誘導通路部材２１を用意する必要もなく、更なる低コスト化が図れる（遊技球検出特性の異なる２種類の入賞装置を低コストで得られる）。
更に、本実施形態の誘導通路部材２１では、図３，図８を対照して分かるように、入賞した遊技球の検出位置を違えて使用しても、リブ５３ａ，５３ｂの遊技球誘導面が盤面１２（図２，図７参照）の表面側から裏面側に向けて下るように傾斜して形成されている。したがってこの誘導通路部材２１によれば、遊技球誘導通路５３内において、遊技球を盤面１２裏面側に円滑に誘導することができる。
【００２５】
【発明の効果】
以上述べたように本発明によれば、弾球遊技機の入賞装置、特に一般的な入賞装置につき、遊技球誘導通路部材、装飾部材及びベース部材に分割して構成し、このうち遊技球誘導通路部材に汎用性をもたせたので、多くの入賞装置に適用可能になり、入賞装置の低コスト化が図れる。
また、入賞装置の装飾部やベース部にデザイン変更が生じた場合でも、装飾部材やベース部材のみを新たなデザインが施されたものに交換するだけでデザイン変更が実現でき、この点からも入賞装置の低コスト化が図れる。
しかもこの誘導通路部材は、入賞した遊技球を、遊技球入口側で検出する場合と、出口側で検出する場合のいずれにも使用できるように構成されているので、入口側と出口側の専用の誘導通路部材を用意する必要もなく、更なる低コスト化が図れる。
【図面の簡単な説明】
【図１】本発明による入賞装置が設けられた遊技盤の盤面の一例を概略的に示す図である。
【図２】図１中の入賞装置を、遊技盤部分を破断して示す図である。
【図３】図２に示す入賞装置の前後方向分解図である。
【図４】図２に示す入賞装置部分の一部切断平面図である。
【図５】図２〜図４中の誘導通路部材を取り出して示す図である。
【図６】同上誘導通路部材の断面図である。
【図７】誘導通路部材を図２とは異なる使用状態において示す図である。
【図８】図７に示す入賞装置の前後方向分解図である。
【図９】図７に示す入賞装置の一部切断平面図である。
【図１０】図２〜図４中の装飾部材を取り出して示す図である。
【図１１】同じくベース部材を取り出して示す図である。
【符号の説明】
１１  遊技盤
１２  盤面
２１  遊技球誘導通路部材
２２  装飾部材
２３  ベース部材
５１  装飾部材配置面
５２  遊技球出入開口
５３  遊技球誘導通路
５５  遊技球センサ取付部
１１３  鍔状部
【図１】
2005006747.tif 000003
【図２】
2005006747.tif 000004
【図３】
2005006747.tif 000005
【図４】
2005006747.tif 000006
【図５】
2005006747.tif 000007
【図６】
2005006747.tif 000008
【図７】
2005006747.tif 000009
【図８】
2005006747.tif 000010
【図９】
2005006747.tif 000011
【図１０】
2005006747.tif 000012
【図１１】
2005006747.tif 000013